(57)【要約】【課題】固定溝へのシールの締め代を減らすことなく、シールの環状基部を固定溝へ容易に嵌め込むことができる密封型アンギュラ玉軸受を提供することである。【解決手段】シール６のゴム８で形成された環状基部８ａの側方部位に、周方向へ延びる周溝９を切欠き部として形成することにより、環状基部８ａが固定溝５ａ、５ｂへ嵌め込まれるときに小さな力で弾性変形するようにし、固定溝５ａ、５ｂへの締め代を減らすことなく、シール６の環状基部８ａを固定溝５ａ、５ｂへ容易に嵌め込むことができるようにした。【選択図】図１
2007100863.tif 000002
【特許請求の範囲】
【請求項１】
内輪と軌道溝の片側にカウンタ部が設けられた外輪との間の軸受空間を、芯金と弾性部材で形成されたシールで密封し、これらのシールを、前記外輪の内径面のカウンタ部側とその反対側の反カウンタ部側とに設けた固定溝に、前記弾性部材で形成された環状の基部を嵌め込んで固定した密封型アンギュラ玉軸受において、前記弾性部材で形成された環状基部の外径面を除く部位に、前記固定溝への嵌め込み力を低減する切欠き部を設けたことを特徴とする密封型アンギュラ玉軸受。
【請求項２】
前記切欠き部を前記環状基部の側方部位で周方向へ延びる周溝とした請求項１に記載の密封型アンギュラ玉軸受。
【発明の詳細な説明】
【技術分野】
【０００１】
本発明は、内輪と外輪の間の軸受空間をシールで密封した密封型アンギュラ玉軸受に関する。
【背景技術】
【０００２】
アンギュラ玉軸受は、外輪の軌道溝の片側にボール組み込み用のカウンタ部を設けたものが多い。内輪の外径面にも外輪のカウンタ部と反対側にカウンタ部を設けたものもある。このようなアンギュラ玉軸受には、図３（ａ）、（ｂ）に示すように、内輪１と外輪２の間にボール３が保持器４に保持された軸受空間を、芯金７と弾性部材としてのゴム８で形成されたシール６で密封し、これらのシール６を外輪２の内径面のカウンタ部２ｂ側とその反対側の反カウンタ部側とに設けた固定溝５ａ、５ｂに、ゴム８で形成された環状基部８ａを嵌め込んで固定した密封型アンギュラ玉軸受がある（例えば、特許文献１参照）。
【０００３】
このような密封型アンギュラ玉軸受では、外輪２の端面で十分なアキシアル荷重が受けられるように、外輪２のカウンタ部２ｂ側の端面をできるだけ広くする必要があるので、カウンタ部２ｂ側の固定溝５ａの両側の溝肩高さの差Ａが小さくなり、この固定溝５ａに嵌め込まれるシール６の固定が難しくなる。このため、この種のアンギュラ玉軸受のシールの固定溝への締め代は、カウンタ部のない深溝玉軸受のシールの固定溝への締め代よりも大きく設定されている。
【０００４】
【特許文献１】特開２００４−１１６６８７号公報
【発明の開示】
【発明が解決しようとする課題】
【０００５】
上述した従来の密封型アンギュラ玉軸受のシールは、固定溝への締め代が大きく設定されているので、弾性部材で形成された環状基部を固定溝へ嵌め込むときに大きな力で弾性変形させる必要があり、シールの環状基部を固定溝へ嵌め込み難い問題がある。
【０００６】
そこで、本発明の課題は、固定溝への締め代を減らすことなく、シールの環状基部を固定溝へ容易に嵌め込むことができる密封型アンギュラ玉軸受を提供することである。
【課題を解決するための手段】
【０００７】
上記の課題を解決するために、本発明は、内輪と軌道溝の片側にカウンタ部が設けられた外輪との間の軸受空間を、芯金と弾性部材で形成されたシールで密封し、これらのシールを、前記外輪の内径面のカウンタ部側とその反対側の反カウンタ部側とに設けた固定溝に、前記弾性部材で形成された環状の基部を嵌め込んで固定した密封型アンギュラ玉軸受において、前記弾性部材で形成された環状基部の外径面を除く部位に、前記固定溝への嵌め込み力を低減する切欠き部を設けた構成を採用した。
【０００８】
すなわち、シールの弾性部材で形成された環状基部の外径面を除く部位に切欠き部を設けることにより、固定溝へ嵌め込むときに環状基部の弾性部材が小さな力で弾性変形するようにし、固定溝への締め代を減らすことなく、シールの環状基部を固定溝へ容易に嵌め込むことができるようにした。
【０００９】
前記切欠き部を前記環状基部の側方部位で周方向へ延びる周溝とすることにより、環状基部を円周方向で満遍なく弾性変形させて、よりスムーズに固定溝へ嵌め込むことができる。
【発明の効果】
【００１０】
本発明の密封型アンギュラ玉軸受は、シールの弾性部材で形成された環状基部の側方部位に切欠き部を設け、固定溝へ嵌め込むときに環状基部の弾性部材が小さな力で弾性変形するようにしたので、固定溝への締め代を減らすことなく、シールの環状基部を固定溝へ容易に嵌め込むことができる。
【００１１】
前記切欠き部を環状基部の側方部位で周方向に延びる周溝とすることにより、環状基部を円周方向で満遍なく弾性変形させて、よりスムーズに固定溝へ嵌め込むことができる。
【発明を実施するための最良の形態】
【００１２】
以下、図面に基づき、本発明の実施形態を説明する。この密封型アンギュラ玉軸受は、図１（ａ）、（ｂ）に示すように、内輪１の軌道溝１ａと外輪２の軌道溝２ａの間に複数のボール３が保持器４で保持され、外輪２の軌道溝２ａの片側にカウンタ部２ｂが設けられており、外輪２の内径面のカウンタ部２ｂ側とその反対側の反カウンタ部側とに設けられた固定溝５ａ、５ｂにそれぞれシール６が固定され、内輪１と外輪２の間の軸受空間が密封されている。
【００１３】
前記各シール６は芯金７と弾性部材としてのゴム８で形成され、ゴム８で形成された環状基部８ａが締め代を設定して各固定溝５ａ、５ｂに嵌め込まれ、同じくゴム８で形成されたリップ８ｂで軸受空間を密封するようになっており、環状基部８ａの側方部位に、各固定溝５ａ、５ｂへの嵌め込み力を低減する切欠き部としての周方向へ延びる周溝９が形成されている。
【実施例】
【００１４】
図１に示したように、ゴム８で形成した環状基部８ａに周溝９を形成した実施例のシール６と、図３に示したように、環状基部８ａに周溝９のない比較例のシール６について、これらのシールを同じ締め代δで同じ固定溝５ａ、５ｂに嵌め込むときの嵌め込み力Ｆを、有限要素法を用いて計算した。なお、周溝９の有無を除いて、実施例と比較例のシール６の環状基部８ａの寸法形状は同じものとし（幅Ｗ＝０．８０ｍｍ、最大高さＨ＝０．３９ｍｍ）、締め代δは０．１５５ｍｍに設定した（図２参照）。
【００１５】
図２（ａ）、（ｂ）は、それぞれ実施例と比較例のシールを固定溝に嵌め込んだときの、環状基部の弾性変形形状と応力分布の計算結果を示す計算装置モニタのカラー画像である。比較例のものでは、環状基部の圧縮変形によって広い範囲に高い応力が発生し、嵌め込み力Ｆが５８．０Ｎとなったのに対し、周溝を形成した実施例のものでは、周溝の上側部分が撓み変形することによって環状基部に高い応力が発生せず、嵌め込み力Ｆが８．１Ｎと、比較例のものの約１／７となった。したがって、実施例のものは、締め代δを減らすことなく固定溝への嵌め込み力Ｆを著しく低減でき、シールの環状基部を固定溝へ容易に嵌め込むことができる。
【００１６】
上述した実施形態では、固定溝への嵌め込み力を低減する切欠き部を、環状基部の側方部位で周方向へ延びる周溝としたが、この切欠き部は、実施形態のもののような周溝に限定されることはなく、固定溝への締め代を減らさないように環状基部の外径面を除く部位に形成されたものであればよい。
【００１７】
また、上述した実施形態では、外輪のみにカウンタ部が設けられたものとしたが、本発明に係る密封型アンギュラ玉軸受は、内輪にもカウンタ部を設けたものにも適用することができる。
【図面の簡単な説明】
【００１８】
【図１】ａは密封型アンギュラ玉軸受の実施形態を示す縦断面図、ｂはａのシールを示す縦断面図
【図２】ａ、ｂは、それぞれ実施例と比較例のシールを固定溝に嵌め込んだときの環状基部の弾性変形形状と応力分布の計算結果を示すカラー画像
【図３】ａは従来の密封型アンギュラ玉軸受を示す縦断面図、ｂはａのシールを示す縦断面図
【符号の説明】
【００１９】
１  内輪
２  外輪
１ａ、２ａ  軌道溝
２ｂ  カウンタ部
３  ボール
４  保持器
５ａ、５ｂ  固定溝
６  シール
７  芯金
８  ゴム
８ａ  環状基部
８ｂ  リップ
９  周溝
【図１】
2007100863.tif 000003
【図３】
2007100863.tif 000004
【図２】
2007100863.tif 000005